(57)【要約】  【課題】  小電流でも大電流でも同じ小ささの上下導体間接続用突起５３に通すことにより大電流を通す上下導体間接続用突起で無視できない電圧降下が生じたり、発熱が生じたり、また、小電流でも大電流でも同じ大きさの比較的大きな上下導体間接続用突起に通すことにより小電流を通す突起が無駄に大きな面積を専有して集積度向上の妨げになるというおそれをなくす。  【解決手段】上下導体間接続用突起５３ｘ、５３ｙが複数通りの異なる径を持つようにする。  【効果】通る電流に応じて大電流が通る突起は径を大きくし（５３ｘ）、小電流が通る突起は径を小さくする（５３ｙ）ことができ、小さな径の突起に大きな電流が流れて電圧降下が生じたり、ジュール熱が発生したり、小さな電流しか流れないのに径が大きいため突起が無駄に面積を専有するという問題の生じるおそれがなくなる。【選択図】  図２ 
2005026714.tif 000002
【特許請求の範囲】
【請求項１】
金属層の表面に多数の金属からなる上下導体間接続用突起を配置し、
上記金属層の上記導体間接続用突起が形成された表面上に層間絶縁層を該導体間接続用突起に貫通された状態で設け、
上記層間絶縁層の上記上下導体間接続用突起を含む表面に上記金属層とは別の金属層を形成してなる
配線回路基板であって、
上記上下導体間接続用突起が複数通りの異なる径を持つようにされた
ことを特徴とする配線回路基板。
【発明の詳細な説明】
【技術分野】
【０００１】
本発明は、例えばＩＣ、ＬＳＩ等の電子デバイス接続用の配線回路基板、特に高密度実装を実現できる配線回路基板に関する。
【背景技術】
【０００２】
本願出願人会社は配線回路基板の製造技術の開発を種々行い、その成果は例えば特願平１１−２２９１４０号等により提案し、それが、例えば特開２００１−０５１３９号公報等により公表されているが、比較的最新の従来技術の一例を図３及び図４によって紹介する。
図３（Ａ）〜（Ｆ）及び図４（Ｇ）〜（Ｉ）は高密度実装用配線回路基板に関する一つの従来例を説明するためのもので、配線回路基板の製造方法を工程順（Ａ）〜（Ｉ）に示す断面図である。
【０００３】
（Ａ）先ず、５０〜１００μｍ程度の厚さの絶縁シートからなる絶縁ベース１を用意し、図３（Ａ）に示すように、該絶縁シート１に層間接続用の孔２をドリルにより或いはレーザー加工により形成する。
（Ｂ）次に、図３（Ｂ）に示すように、上記孔２を導電性ペースト（例えば銀或いは銅等を主材料とする。）３により例えば印刷法で充填する。これにより、絶縁ベース１は孔２、２、・・・が導電性ペースト３により充填された半硬化状態のシートＡになる。
【０００４】
（Ｃ）、（Ｄ）次に、図３（Ｃ）に示すように、上記シートＡの両面に例えば銅からなる金属箔４、４を臨ませ、図３（Ｄ）に示すようにその金属箔４、４を加圧プレスで積層する。これにより両面に金属箔４、４が形成され、その間に絶縁シート１が存在し、孔２、２、・・・にて導電性ペースト３、３、・・・により上記両面の金属箔４・４間が電気的に接続された積層体が構成される。
（Ｅ）次に、上記金属箔４、４上に形成すべき導体回路と同じパターンを有するレジスト膜５、５を形成する。図３（Ｅ）はレジスト膜５、５形成後の状態を示す。
【０００５】
（Ｆ）次に、上記レジスト膜５、５をマスクとして上記金属箔４、４をエッチングすることにより図３（Ｆ）に示すように導体回路６、６を形成する。これにより両面に絶縁シート１により層間分離され、孔２内の導電性ペースト３により層間接続された導体回路６、６が形成された積層体Ｂが構成される。
（Ｇ）次に、図４（Ｇ）に示すように、上記積層体Ｂの両面に、孔２、２、・・・を有し、その孔２、２、・・・が導電性ペースト３、３、・・・で充填された絶縁シート１ａ、１ａと金属箔４ａ、４ａを重ね、その後、加圧プレスでこれらを積層する。この積層により形成された積層体をＣとする。
【０００６】
（Ｈ）次に、図４（Ｈ）に示すように、積層体Ｃの両面の金属箔４ａ、４ａ上にレジスト膜５、５を選択的に形成する。
（Ｉ）次に、上記レジスト膜５、５をマスクとして金属箔４ａ、４ａを選択的にエッチングすることによりパターニングして、図４（Ｉ）に示すように配線膜６ａ、６ａを形成する。これにより、４層の導体回路６、６、６ａ、６ａを有する配線回路基板７が形成される。
【０００７】
図５（Ａ）〜（Ｇ）は高密度実装用配線回路基板に関する別の従来例を説明するためのもので、配線回路基板の製造方法を工程順（Ａ）〜（Ｇ）に示す断面図である。
（Ａ）例えば銅からなる金属箔（厚さ例えば１８μｍ）１０を用意し、図５（Ａ）に示すように、該金属箔１０上に導電性の突起１１、１１、・・・を銅或いは銀等の導電性ペーストのスクリーン印刷により形成する。突起１１、１１、・・・の厚さは例えば５０〜１００μｍ程度である。
【０００８】
（Ｂ）次に、図５（Ｂ）に示すように、上記金属箔１０の突起１１、１１、・・・が形成された面上に絶縁性の接着シート１２を接着する。この接着シート１２として記突起１１、１１、・・・の厚さよりも適宜薄いものを用いることより、上記突起１１、１１、・・・の頂部が接着シート１２の表面から突出するようにする。この金属箔１０に突起１１、１１、・・・を形成し、接着シート１２をそれから突起１１、１１、・・・の頂部が突出するように接着した積層体Ａが出来上がる。
【０００９】
（Ｃ）、（Ｄ）次に、図５（Ｃ）に示すように、上記金属箔１０と同様の金属箔１３を上記接着シート１０の接着シート１２表面上方に臨ませ、熱加圧プレス法により、図４（Ｄ）に示すように、金属箔１３を接着シート１２及び突起１１、１１、・・・上に積層する。Ｂはそれによりできた積層体である。
（Ｅ）次に、上記積層体Ｂの両面の金属箔１０、１３上にパターニングした例えばレジスト膜を形成し、該レジスト膜をマスクとして上記金属箔１０、１３をエッチングすることにより導体回路１４、１５を形成する。図５（Ｅ）は導体回路形成後マスクとして用いたレジスト膜を除去した状態を示す。
【００１０】
（Ｆ）次に、上記図５（Ｂ）に示す積層体Ａと同じ方法でつくられた積層体ａを二つ用意し、その二つの積層体ａ、ａを、図５（Ｆ）に示すように、上記積層体Ｂの両面に臨ませる。
（Ｇ）次に、上記積層体Ｂをその両面側から積層体ａ、ａでサンドイッチ状に挟んで上述した熱加圧プレス法により加圧して積層し、図５（Ｇ）に示すような配線回路基板１６が出来上がる。
【特許文献１】特開２００１−０５１３９号公報
【発明の開示】
【発明が解決しようとする課題】
【００１１】
ところで、図３、図４に示した従来例には、第１に、絶縁シート１の孔２を銀等の高価な金属を主材料とする導電性ペースト３で埋めて層間接続に用いるので、コストアップに繋がるという問題があった。特に、高密度化に伴い、孔２の配設密度が増えるので、無視できないコストアップが生じる。第２に、孔２を導電性ペースト３で埋める際に、孔２以外の部分にも導電性材料が微量ながら付着し、絶縁抵抗が低下するという問題があった。
【００１２】
第３に、絶縁シート１に孔２、２、・・・を形成した後加圧積層するときに、加わる圧力によりシート１が横方向に伸延され、孔２、２、・・・の位置ずれが生じ、補正するための孔明けをしても補正しきれない場合が生じるという問題があった。斯かる孔２の位置ずれは層間接続不良の原因になり看過できない重大な問題となり、特に高密度実装の配線回路基板の場合には致命的となる。第４に、銅等からなる金属箔４、４と導電性ペースト３との接合の信頼性が不充分であるという問題があった。即ち、孔２を埋めた導電性ペースト３は半硬化状になるように溶剤分を除去するが、半硬化後の導電ペーストは溶剤分の除去等により収縮し、体積が小さくなり、導電ペースト３の上下両面が凹状になることが多い。その結果、金属箔４、４との間に接合不良が生じやすく、歩留まり、信頼性が低くなると言う問題があったのである。
【００１３】
次に、図５に示す従来例にも問題があった。第１に、突起１１は高価な材料である導電性ペーストで形成するので、コストアップになるという問題があった。第２に、突起１１の導電性ペーストによる形成には、スクリーン印刷法を用いる結果、導電性ペーストを厚くすることに限界があり、その結果、突起１１の形成にスクリーン印刷を複数回繰り返すことが必要になる場合が多い。そして、そのように印刷回数が多くなると、位置ずれによる突起１１の形状の変形が生じ易くなり、延いては後における金属箔４との接続の信頼度が低くなると言う問題があるし、スクリーン印刷するときの位置合わせ作業が非常に難しく、面倒で、熟練を要するとか、位置合わせ時間が長くなるという問題が生じる。このような傾向は、突起１１の径が小さくなる程顕著である。因みに、直径が０．３ｍｍの突起の場合、２回印刷が必要であり、直径０．２ｍｍの突起の場合、４回印刷する必要がある。これはかなり面倒であり、高密度配線回路基板への対応に課題を残している。
【００１４】
第３に、突起１１、１１、・・・の高さにばらつきが生じやすいと言う問題があった。即ち、スクリーン印刷には、形成される膜の厚さを均一にすることが難しいので、当然にスクリーン印刷により形成した突起１１、１１、・・・の高さにはばらつきが生じやすく、その結果、その厚さのばらつきにより、金属箔１３と突起１１、１１、・・・との接続が不良になるおそれが生じ、歩留まり、信頼性が低くなるという問題があったのである。第４に、製造過程において配線回路基板のベースとなる金属箔１０が例えば１８μｍと薄く、上記スクリーン印刷の際に、金属箔１３側にしわ、変形、折れ曲がり等が生じないように充分な注意が必要であり、僅かなミスによる歩留まり低下を起こす可能性を有する。これは当然のことながら、コストアップの原因となり、看過できない問題となる。かといって、その金属箔１０を厚くしてベースの剛性を強くしようとすると、導体回路のファインパターン化を妨げることになるという問題に直面する。
【００１５】
また、上記各従来例に共通する問題点としては高密度化、即ち微小な層間接続には限界があり、一つの従来例には孔径の微細化と導電ペーストの重点の難しさのため、また、別の従来例ではバンプ印刷で微小径になればなるほど印刷が難しくなり、２００μｍ以下の径は実際はつくり得なかった。また、導電ペーストと銅箔の間の接合強度が低く、パットオンビアとして使用した場合、ビア状のパッド強度が充分でなく必要以上に面積をとる必要があった。
また、小電流でも大電流でも同じ小ささの上下導体間接続用突起に通すことにより大電流を通す上下導体間接続用突起で無視できない電圧降下が生じたり、発熱が生じたりし、また、小電流でも大電流でも同じ大きさの比較的大きな上下導体間接続用突起に通すことにより小電流を通す突起が無駄に大きな面積を専有して集積度向上の妨げになるというおそれがあった。
【００１６】
本発明はこのような問題点を解決すべく為されたものであり、製造過程において曲がり、折れ、変形等が生じないようにし、製造過程における寸法の安定性を高めることにより上下導体回路間の接続の確実性を高め、上下導体回路間接続手段のコスト低減を図り、また、小電流でも大電流でも同じ小ささの上下導体間接続用突起に通すことにより大電流を通す上下導体間接続用突起で無視できない電圧降下が生じたり、発熱が生じたり、また、小電流でも大電流でも同じ大きさの比較的大きな上下導体間接続用突起に通すことにより小電流を通す突起が無駄に大きな面積を専有して集積度向上の妨げになるというおそれをなくすことを目的とする。
【課題を解決するための手段】
【００１７】
請求項１の配線回路基板は、金属層の表面に多数の金属からなる上下導体間接続用突起を配置し、上記金属層の上記導体間接続用突起が形成された表面上に層間絶縁層を該導体間接続用突起に貫通された状態で設け、上記層間絶縁層の上記上下導体間接続用突起を含む表面に上記金属層とは別の金属層を形成してなる配線回路基板であって、上記上下導体間接続用突起が複数通りの異なる径を持つようにされたことを特徴とする。
【発明の効果】
【００１８】
請求項１の配線回路基板によれば、上下導体間接続用突起が複数通りの異なる径を持つようにされたので、通る電流に応じて大電流が通る突起は径を大きくし、小電流が通る突起は径を小さくすることができ、小さな径の突起に大きな電流が流れて電圧降下が生じたり、ジュール熱が発生したり、小さな電流しか流れないのに径が大きいため突起が無駄に面積を専有するという問題の生じるおそれがなくなる。
【発明を実施するための最良の形態】
【００１９】
本発明は、基本的には、金属層の表面に多数の金属からなる上下導体間接続用突起を配置し、上記金属層の上記導体間接続用突起が形成された表面上に層間絶縁層を該導体間接続用突起に貫通された状態で設け、上記層間絶縁層の上記上下導体間接続用突起を含む表面に上記金属層とは別の金属層を形成してなる配線回路基板であって、上記上下導体間接続用突起が複数通りの異なる径を持つようにされたものであり、導体回路となる金属層、上下導体間接続用突起を成す金属及び層間絶縁膜の上記上下導体間接続用突起を含む表面上に形成する金属層の材料は、銅が好適である。
【００２０】
また、上下導体間接続用突起の頂部に導電ペースト、半田或いは金等の貴金属、或いは異方性導線膜等接続性を向上させる或いは接続性について信頼度を高める膜をコーティングすることにすると良い。
また、層間絶縁膜は例えばガラスクロス入りのプレプレグが好適である。
【実施例１】
【００２１】
図１（Ａ）〜（Ｅ）、図２は本発明配線回路基板の第１の実施例を説明するためのもので、図１（Ａ）〜（Ｅ）はその実施例の配線回路基板の製造方法を工程順に示す断面図であり、図２はその実施例の配線回路基板の特徴を示す断面図である。
先ず、図１（Ａ）〜（Ｅ）を参照して配線回路基板の製造方法を説明する。
（Ａ）先ず、図１（Ａ）に示すように、例えば銅等の金属板からなる単層構造のベース材５１を用意し、その一方の表面にレジスト膜５２を選択的に形成する。
【００２２】
（Ｂ）次に、図１（Ｂ）に示すように、上記レジスト膜５２をマスクとして上記ベース材５１をその上記表面からハーフエッチングすることにより上記導体間接続用突起５３を形成する。尚、ハーフエッチングとは、文字通り厚さの２分の１エッチングするということではなく、回路層となる部分を残してエッチングすることを意味します。
（Ｃ）次に、図１（Ｃ）に示すように、上記突起５３の頂部に必要に応じて導電ペースト、半田、或いは金等の貴金属、或いは異方性導線膜等接続性を向上させる或いは接続性について信頼度を高める膜５４をコーティングする。該膜５４は不可欠というわけではないが、接続性或いは信頼性をより高くする必要のある場合には設けると良い。
【００２３】
（Ｄ）次に、図１（Ｄ）に示すように、銅等からなる金属箔５６を上記ベース材５１の上記一方の表面に層間絶縁膜５５を介して積層する。
（Ｅ）次に、図１（Ｅ）に示すように、上記ベース材５１の上記他方の表面部と、上記金属箔５６の表面を選択的にエッチングすることにより導体回路を形成する。これにより、配線回路基板が出来上がる。
【００２４】
このような配線回路基板の製造方法によれば、ベース材としてエッチングバリア層のある多層構造のものを用いる必要はなく、且つ、エッチングバリア層を除去する工程が必要なので、配線回路基板の製造コストの低減を図ることができる。
【００２５】
尚、突起５３の形成後、その先端部を粗化して針状の棘が多数できるようにして金属箔５６からなる導体回路との接続性を高めるようにしても良い。粗化はスプレーエッチングや、ＣＺ処理により為し得る。また、つぶ銅メッキにより粗化することもできる。
また、突起５３を含め銅の表面全面を電解クロメート処理して電解クロメート膜を形成し、以て突起５３、銅表面の酸化防止性を向上させ、参加による銅箔の品質低下を防止するようにしても良い。
【００２６】
次に、図２を参照して本実施例の配線回路基板の特徴について説明する。図１では図示しなかったが、図２に示す特徴を有する。
即ち、本配線回路基板は、上下導体間接続用突起として径の大きいもの５３ｘと径の小さいもの５３ｙを混在させて、径の大きい上下導体間接続用突起５３ｘを大電流を通す上下導体間接続用として、径の小さい上下導体間接続用突起５３ｙを小電流を通す上下導体間接続用として用いるようにしてなる。
【００２７】
このような配線回路基板によれば、小電流でも大電流でも同じ小ささの上下導体間接続用突起に通すことにより大電流を通す上下導体間接続用突起で無視できない電圧降下が生じたり、発熱が生じたりするおそれがなくなり、また、小電流でも大電流でも同じ大きさの比較的大きな上下導体間接続用突起に通すことにより小電流を通す突起が無駄に大きな面積を専有して集積度向上の妨げになるというおそれもなくなる。
【産業上の利用可能性】
【００２８】
本発明は、例えばＩＣ、ＬＳＩ等の電子デバイス接続用の配線回路基板、特に高密度実装を実現できる配線回路基板に利用可能性がある。
【図面の簡単な説明】
【００２９】
【図１】（Ａ）〜（Ｅ）は本発明配線回路基板の第１の実施例の製造方法を工程順に示す断面図である。
【図２】上記実施例の特徴を示すための斜視図である。
【図３】（Ａ）〜（Ｆ）は高密度実装用配線回路基板に関する一つの従来例を説明するためのもので、配線回路基板の製造方法を工程順（Ａ）〜（Ｆ）に示す断面図である。
【図４】（Ｇ）〜（Ｉ）は高密度実装用配線回路基板に関する一つの従来例を説明するためのもので、配線回路基板の製造方法を工程順（Ｇ）〜（Ｉ）に示す断面図である。
【図５】（Ａ）〜（Ｇ）は高密度実装用配線回路基板に関する別の従来例を説明するためのもので、配線回路基板の製造方法を工程順（Ａ）〜（Ｇ）に示す断面図である。
【符号の説明】
【００３０】
５１・・・ベース材、５３・・・上下導体間接続用突起（コニーデ状）、
５３ｘ・・・径の大きい突起、５３ｙ・・・径の小さい突起。
【図１】
2005026714.tif 000003
【図２】
2005026714.tif 000004
【図３】
2005026714.tif 000005
【図４】
2005026714.tif 000006
【図５】
2005026714.tif 000007